(57)【特許請求の範囲】
【請求項１】
燃料ガスと酸化剤ガスとの電気化学反応により発電する燃料電池モジュールと、
前記燃料電池モジュールから排出される排ガスと冷媒体との熱交換により、前記排ガス中の水蒸気を凝縮して回収するとともに、凝縮水を前記燃料電池モジュールに供給する凝縮装置と、
を備える燃料電池システムであって、
前記凝縮装置は、前記冷媒体として前記酸化剤ガスが使用される空冷凝縮機構と、
前記冷媒体として貯湯部に貯えられる貯湯水が使用される水冷凝縮機構と、
を備えるとともに、
前記空冷凝縮機構は、前記排ガスと前記酸化剤ガスとの温度差により熱電変換を行う熱電変換部を備え、
前記燃料電池システムは、少なくとも供給電力と需要電力との比較結果、又は供給熱量と需要熱量との比較結果のいずれかに基づいて、少なくとも前記空冷凝縮機構に供給される前記排ガスの流量、又は前記水冷凝縮機構に供給される前記排ガスの流量のいずれかを調整する制御装置を備えることを特徴とする燃料電池システム。
【請求項２】
請求項１記載の燃料電池システムにおいて、前記制御装置は、少なくとも供給電力と予め設定された需要電力範囲とを比較する電力比較部と、
供給熱量と予め設定された需要熱量範囲とを比較する熱量比較部と、
前記空冷凝縮機構に供給される前記排ガスの流量及び前記水冷凝縮機構に供給される前記排ガスの流量を調整する排ガス流量調整部と、
を有することを特徴とする燃料電池システム。
【請求項３】
請求項２記載の燃料電池システムにおいて、前記排ガス流量調整部は、前記電力比較部により前記供給電力が前記需要電力範囲未満であることが検出された際、前記空冷凝縮機構に供給される前記排ガスの流量を増加させることを特徴とする燃料電池システム。
【請求項４】
請求項２記載の燃料電池システムにおいて、前記排ガス流量調整部は、前記電力比較部により前記供給電力が前記需要電力範囲内であることが検出された際、前記空冷凝縮機構に供給される前記排ガスの流量を維持させることを特徴とする燃料電池システム。
【請求項５】
請求項２記載の燃料電池システムにおいて、前記排ガス流量調整部は、前記電力比較部により前記供給電力が前記需要電力範囲超過であることが検出された際、前記空冷凝縮機構に供給される前記排ガスの流量を減少させることを特徴とする燃料電池システム。
【請求項６】
請求項２〜５のいずれか１項に記載の燃料電池システムにおいて、前記排ガス流量調整部は、前記熱量比較部により前記供給熱量が前記需要熱量範囲未満であることが検出された際、前記水冷凝縮機構に供給される前記排ガスの流量を増加させることを特徴とする燃料電池システム。
【請求項７】
請求項２〜５のいずれか１項に記載の燃料電池システムにおいて、前記排ガス流量調整部は、前記熱量比較部により前記供給熱量が前記需要熱量範囲内であることが検出された際、前記水冷凝縮機構に供給される前記排ガスの流量を維持させることを特徴とする燃料電池システム。
【請求項８】
請求項２〜５のいずれか１項に記載の燃料電池システムにおいて、前記排ガス流量調整部は、前記熱量比較部により前記供給熱量が前記需要熱量範囲超過であることが検出された際、前記水冷凝縮機構に供給される前記排ガスの流量を減少させることを特徴とする燃料電池システム。
【請求項９】
請求項２記載の燃料電池システムにおいて、前記燃料電池モジュールは、前記電力比較部により前記供給電力が前記需要電力範囲超過であることが検出され、且つ、前記熱量比較部により前記供給熱量が前記需要熱量範囲超過であることが検出された際、出力を低下させ、又は、電力系統に送電させることを特徴とする燃料電池システム。
【請求項１０】
請求項１〜９のいずれか１項に記載の燃料電池システムにおいて、前記燃料電池モジュールは、少なくとも電解質をアノード電極とカソード電極とで挟んで構成される電解質・電極接合体とセパレータとが積層される燃料電池を設け、複数の前記燃料電池が積層される燃料電池スタックと、
前記酸化剤ガスを前記燃料電池スタックに供給する前に加熱する熱交換器と、
炭化水素を主体とする原燃料と水蒸気との混合燃料を生成するために、水を蒸発させる蒸発器と、
前記混合燃料を改質して前記燃料ガスを生成する改質器と、
を備えることを特徴とする燃料電池システム。
【請求項１１】
請求項１〜１０のいずれか１項に記載の燃料電池システムにおいて、前記燃料電池モジュールは、固体酸化物形燃料電池モジュールであることを特徴とする燃料電池システム。
【発明の詳細な説明】
【技術分野】
【０００１】
本発明は、燃料ガスと酸化剤ガスとの電気化学反応により発電する燃料電池モジュールと、前記燃料電池モジュールから排出される排ガスと冷媒体との熱交換により、前記排ガス中の水蒸気を凝縮して回収するとともに、凝縮水を前記燃料電池モジュールに供給する凝縮装置とを備える燃料電池システムに関する。
【背景技術】
【０００２】
通常、固体酸化物形燃料電池（ＳＯＦＣ）は、固体電解質に酸化物イオン導電体、例えば、安定化ジルコニアを用いている。この固体電解質の両側に、アノード電極及びカソード電極を配設した電解質・電極接合体は、セパレータ（バイポーラ板）によって挟持されている。この燃料電池は、通常、電解質・電極接合体とセパレータとが所定の数だけ積層された燃料電池スタックとして使用されている。
【０００３】
上記の燃料電池に供給される燃料ガスは、通常、改質装置によって炭化水素系の原燃料から生成される水素ガスが使用されている。改質装置では、一般的に、メタンやＬＮＧ等の化石燃料等の炭化水素系の原燃料から改質原料ガスを得た後、この改質原料ガスに、例えば、水蒸気改質を施すことにより、改質ガス（燃料ガス）が生成されている。
【０００４】
この種の燃料電池では、運転温度が比較的高温であり、発電反応に使用された燃料ガス及び酸化剤ガスを含む排ガスも高温になっている。このため、排ガスの有効利用を図ることが望まれており、例えば、特許文献１に開示されている燃料電池システムが知られている。
【０００５】
この燃料電池システムは、図９に示すように、固体電解質形燃料電池１ａと、前記固体電解質形燃料電池１ａからの排ガスと水とを熱交換する熱交換器２ａと、水を貯える貯湯タンク３ａと、前記貯湯タンク３ａの底部と熱交換器２ａとの間、及び前記貯湯タンク３ａの上部と前記熱交換器２ａとの間をそれぞれ連結し、該貯湯タンク３ａと該熱交換器２ａとの間で水を循環させる循環配管４ａと、前記循環配管４ａに設けられ、水を強制的に循環させる循環ポンプ５ａと、前記熱交換器２ａの入口水温及び出口水温を検出する温度検出器６ａ、７ａと、前記熱交換器２ａの出口水温が入口水温よりも所定温度以上になるように前記循環ポンプ５ａの出力を制御する制御装置８ａとを具備している。
【０００６】
また、特許文献２に開示されている燃料電池システムは、図１０に示すように、固体電解質形燃料電池１ｂと、前記固体電解質形燃料電池１ｂからの排ガスと水を熱交換する熱交換器２ｂと、水を貯える貯湯タンク３ｂと、前記貯湯タンク３ｂと前記熱交換器２ｂとの間で水を循環させる循環配管４ｂと、前記循環配管４ｂに設けられた循環ポンプ５ｂと、使用する貯湯量に応じて前記固体電解質形燃料電池１ｂの発電中の燃料利用率を制御する制御装置６ｂとを具備している。
【０００７】
さらにまた、特許文献３に開示されている燃料電池システム及びコジェネレーションシステムは、燃料電池部、排ガス燃焼部及び第１熱交換部を具備するとともに、前記燃料電池部は、電気負荷に接続され、燃料ガス及び酸化剤ガスにより電力としての燃料電池電力を発電し、前記電気負荷に供給している。排ガス燃焼部は、燃料電池部において使用された燃料ガス及び酸化剤ガスを燃焼し、燃焼排ガスを生成している。第１熱交換部は、燃焼排ガスの熱量を熱媒体で回収している。
【０００８】
そして、燃料電池部は、電気負荷の大きさがゼロの場合においても、燃料電池電力を前記電気負荷に供給することが可能なように、予め設定された温度以上で継続的に運転されている。その熱量は、その熱媒体を利用する熱利用設備に供給されている。
【０００９】
また、特許文献４に開示されている熱電併給装置は、図１１に示すように、熱電発生装置１ｃ、蓄電装置２ｃ、蓄熱装置３ｃ及び制御装置４ｃを備えている。熱電発生装置１ｃにより発生されて出力された電力は、蓄電装置２ｃに与えられて蓄電されている。同様に、熱電発生装置１ｃにより発生されて出力された熱は、蓄熱装置３ｃに与えられて蓄熱されている。そこで、エネルギを必要とする負荷５ｃには、蓄電装置２ｃから電力が供給されるとともに、蓄熱装置３ｃから熱が供給されている。
【先行技術文献】
【特許文献】
【００１０】
【特許文献１】特開２００６−２４４３０号公報
【特許文献２】国際公開第２００７／０５２６３３号パンフレット
【特許文献３】特開２００３−１８７８４３号公報
【特許文献４】特開２００２−４８００４号公報
【発明の概要】
【発明が解決しようとする課題】
【００１１】
しかしながら、上記の特許文献１では、貯湯タンク３ａ内の水が高温になった際には、貯湯水の供給を停止させる、又は、排ガスの供給を停止させており、高温の排ガスが無駄に排出されてしまう。しかも、排ガス中の水分を凝縮して改質に必要な水を完全循環（水自立）させることが困難になるという問題がある。
【００１２】
また、上記の特許文献２では、発電中の燃料利用率を制御するものである。このため、貯湯タンク３ｂの貯湯水が満水の場合や、高温になった場合において、水自立運転や、要求電力負荷の供給及び貯湯水の維持を図るものではない。
【００１３】
さらにまた、特許文献３では、電力負荷や熱負荷が少ない時間帯でも、エネルギ効率を向上させようとするものである。従って、貯湯水が満水又は高温の場合において、水自立運転や、要求電力負荷の供給及び貯湯水の維持について対応することはできない。
【００１４】
また、特許文献４では、蓄電装置２ｃ及び蓄熱装置３ｃを備えており、熱電併給装置全体が大型化するという問題がある。しかも、水自立を達成することや、外部から熱を加えることなく自ら発生する熱のみで燃料電池の動作温度を維持する（熱自立）ことが困難である。
【００１５】
本発明は、この種の問題を解決するものであり、水自立及び熱自立を促進させることができ、発電効率の向上を図ることが可能な燃料電池システムを提供することを目的とする。
【課題を解決するための手段】
【００１６】
本発明は、燃料ガスと酸化剤ガスとの電気化学反応により発電する燃料電池モジュールと、前記燃料電池モジュールから排出される排ガスと冷媒体との熱交換により、前記排ガス中の水蒸気を凝縮して回収するとともに、凝縮水を前記燃料電池モジュールに供給する凝縮装置とを備える燃料電池システムに関するものである。
【００１７】
この燃料電池システムでは、凝縮装置は、冷媒体として酸化剤ガスが使用される空冷凝縮機構と、前記冷媒体として貯湯部に貯えられる貯湯水が使用される水冷凝縮機構とを備えるとともに、前記空冷凝縮機構は、排ガスと前記酸化剤ガスとの温度差により熱電変換を行う熱電変換部を備えている。
【００１８】
そして、燃料電池システムは、少なくとも供給電力と需要電力との比較結果、又は供給熱量と需要熱量との比較結果のいずれかに基づいて、少なくとも空冷凝縮機構に供給される排ガスの流量、又は水冷凝縮機構に供給される前記排ガスの流量のいずれかを調整する制御装置を備えている。
【００１９】
また、この燃料電池システムでは、制御装置は、少なくとも供給電力と予め設定された需要電力範囲とを比較する電力比較部と、供給熱量と予め設定された需要熱量範囲とを比較する熱量比較部と、前記空冷凝縮機構に供給される前記排ガスの流量及び前記水冷凝縮機構に供給される前記排ガスの流量を調整する排ガス流量調整部とを有することが好ましい。
【００２０】
このため、電力比較部及び熱量比較部による比較結果に基づいて、空冷凝縮機構に供給される排ガスの流量及び水冷凝縮機構に供給される前記排ガスの流量が、選択的に又は同時に調整される。従って、電力が要求される場合には、排ガスの熱エネルギを電気エネルギとして回収することができ、発電効率が有効に向上する。一方、熱量が要求される場合には、排ガスの熱エネルギを湯の熱エネルギとして回収することが可能になる。これにより、エネルギ効率の向上が容易に図られる。
【００２１】
さらに、この燃料電池システムでは、排ガス流量調整部は、電力比較部により供給電力が需要電力範囲未満であることが検出された際、空冷凝縮機構に供給される排ガスの流量を増加させることが好ましい。このため、排ガスの熱エネルギを電気エネルギ（電力）として回収する量が増加され、供給電力を需要電力に近づけることができる。従って、需要電力に応じた発電効率の向上が容易に図られる。
【００２２】
さらにまた、この燃料電池システムでは、排ガス流量調整部は、電力比較部により供給電力が需要電力範囲内であることが検出された際、空冷凝縮機構に供給される排ガスの流量を維持させることが好ましい。これにより、排ガスの熱エネルギを電気エネルギとして回収する量が維持されるため、供給電力を需要電力に近づけることが可能になる。このため、需要電力に応じた発電効率の向上が容易に図られる。
【００２３】
また、この燃料電池システムでは、排ガス流量調整部は、電力比較部により供給電力が需要電力範囲超過であることが検出された際、空冷凝縮機構に供給される排ガスの流量を減少させることが好ましい。従って、排ガスの熱エネルギを電気エネルギとして回収する量が減少されるため、供給電力を需要電力に近づけることができる。これにより、需要電力に応じた発電効率の向上が容易に図られる。
【００２４】
さらに、この燃料電池システムでは、排ガス流量調整部は、熱量比較部により供給熱量が需要熱量範囲未満であることが検出された際、水冷凝縮機構に供給される排ガスの流量を増加させることが好ましい。このため、排ガスの熱エネルギを湯の熱エネルギとして回収する量が増加されるため、供給熱量を需要熱量に近づけることが可能になる。従って、需要熱量に応じた熱効率の向上が容易に図られる。
【００２５】
さらにまた、この燃料電池システムでは、排ガス流量調整部は、熱量比較部により供給熱量が需要熱量範囲内であることが検出された際、水冷凝縮機構に供給される排ガスの流量を維持させることが好ましい。これにより、排ガスの熱エネルギを湯の熱エネルギとして回収する量が維持されるため、供給熱量を需要熱量に近づけることができる。このため、需要熱量に応じた熱効率の向上が容易に図られる。
【００２６】
また、この燃料電池システムでは、排ガス流量調整部は、熱量比較部により供給熱量が需要熱量範囲超過であることが検出された際、水冷凝縮機構に供給される前記排ガスの流量を減少させることが好ましい。従って、排ガスの熱エネルギを湯の熱エネルギとして回収する量が減少されるため、供給熱量を需要熱量に近づけることができる。これにより、需要熱量に応じた熱効率の向上が容易に図られる。
【００２７】
さらに、この燃料電池システムでは、燃料電池モジュールは、電力比較部により供給電力が需要電力範囲超過であることが検出され、且つ、熱量比較部により供給熱量が需要熱量範囲超過であることが検出された際、出力を低下させ、又は、電力系統に送電させることが好ましい。
【００２８】
このため、排ガスの熱エネルギを電気エネルギとして回収する量、及び前記排ガスの熱エネルギを湯の熱エネルギとして回収する量が、それぞれ減少される。従って、供給電力を需要電力に近づけるとともに、供給熱量を需要熱量に近づけることが可能になり、需要電力及び需要熱量に応じた総合効率の向上が容易に図られる。
【００２９】
さらにまた、この燃料電池システムでは、燃料電池モジュールは、少なくとも電解質をアノード電極とカソード電極とで挟んで構成される電解質・電極接合体とセパレータとが積層される燃料電池を設け、複数の前記燃料電池が積層される燃料電池スタックと、酸化剤ガスを前記燃料電池スタックに供給する前に加熱する熱交換器と、炭化水素を主体とする原燃料と水蒸気との混合燃料を生成するために、水を蒸発させる蒸発器と、前記混合燃料を改質して燃料ガスを生成する改質器とを備えることが好ましい。
【００３０】
これにより、特に水蒸気改質を行う燃料電池モジュールに最適に適用することができ、良好な効果が得られる。
【００３１】
また、この燃料電池システムでは、燃料電池モジュールは、固体酸化物形燃料電池モジュールであることが好ましい。このため、高温型燃料電池システムに最適に用いることが可能になり、良好な効果が得られる。
【発明の効果】
【００３２】
本発明によれば、空冷凝縮機構は、排ガスと酸化剤ガスとの温度差により熱電変換を行う熱電変換部を備えている。このため、排ガスと酸化剤ガスとの温度差（熱エネルギ）を、電気エネルギとして回収することができ、発電効率が有効に向上する。
【００３３】
しかも、排ガス温度が低減されるとともに、排ガス中の水蒸気を凝縮して回収することが可能になり、廃熱の抑制と水自立の促進が図られる。さらに、酸化剤ガスが昇温されるため、熱自立の促進が容易に遂行可能になる。
【００３４】
ここで、水自立とは、燃料電池システムの運転に必要な水の全量を外部から供給することなく、前記燃料電池システム内で賄うことをいう。また、熱自立とは、燃料電池システムの運転に必要な熱の全量を外部から加えることなく、自ら発生する熱のみで前記燃料電池システムの動作温度を維持することをいう。
【００３５】
さらに、供給電力と需要電力との比較結果、又は供給熱量と需要熱量との比較結果に基づいて、空冷凝縮機構に供給される排ガスの流量及び水冷凝縮機構に供給される前記排ガスの流量が、選択的に又は同時に調整されている。従って、電力が要求される場合には、排ガスの熱エネルギを電気エネルギとして回収する一方、熱量が要求される場合には、排ガスの熱エネルギを湯の熱エネルギとして回収することができ、総合効率の向上が容易に図られる。
【００３６】
その上、空冷凝縮機構と水冷凝縮機構とが、選択的に又は同時に使用されるため、排ガスの熱エネルギを効率的に回収することが可能になる。これにより、水自立が図られるとともに、排ガス温度の低減が可能になる。
【図面の簡単な説明】
【００３７】
【図１】本発明の第１の実施形態に係る制御方法を実施するための燃料電池システムの概略構成説明図である。
【図２】前記燃料電池システムを構成する凝縮装置の説明図である。
【図３】前記凝縮装置を構成する熱電変換部の断面説明図である。
【図４】前記燃料電池システムの制御方法を説明するフローチャートである。
【図５】前記制御方法の制御マップである。
【図６】熱電変換素子の温度差と出力との関係説明図である。
【図７】本発明の第２の実施形態に係る燃料電池システムの概略構成説明図である。
【図８】前記燃料電池システムを構成する熱電変換部の断面説明図である。
【図９】特許文献１の燃料電池システムの説明図である。
【図１０】特許文献２の燃料電池システムの説明図である。
【図１１】特許文献４の熱電併給装置の説明図である。
【発明を実施するための形態】
【００３８】
本発明の第１の実施形態に係る制御方法を実施するための燃料電池システム１０は、定置用の他、車載用等の種々の用途に用いられている。
【００３９】
燃料電池システム１０は、図１に概略的に示すように、燃料ガス（水素ガス）と酸化剤ガス（空気）との電気化学反応により発電する燃料電池モジュール１２と、前記燃料電池モジュール１２から排出される排ガスと冷媒体との熱交換により、前記排ガス中の水蒸気を凝縮して回収するとともに、凝縮水を前記燃料電池モジュール１２に供給する凝縮装置１４と、制御装置１６と、前記冷媒体として貯留水が貯えられる貯湯タンク（貯留部）１８とを備える。
【００４０】
燃料電池モジュール１２には、前記燃料電池モジュール１２に原燃料（例えば、都市ガス）を供給する燃料ガス供給装置（燃料ガスポンプを含む）２０と、前記燃料電池モジュール１２に酸化剤ガスを供給する酸化剤ガス供給装置（エアポンプを含む）２２と、前記燃料電池モジュール１２に水を供給する水供給装置（水ポンプを含む）２４とが接続される。
【００４１】
燃料電池モジュール１２は、図示しないが、例えば、安定化ジルコニア等の酸化物イオン導電体で構成される固体電解質（固体酸化物）をアノード電極とカソード電極とで挟んで構成される電解質・電極接合体２６とセパレータ２８とが積層される固体酸化物形の燃料電池３０を設けるとともに、複数の前記燃料電池３０が鉛直方向（又は水平方向）に積層される固体酸化物形の燃料電池スタック３２を備える。
【００４２】
燃料電池スタック３２の積層方向下端側（又は上端側）には、酸化剤ガスを前記燃料電池スタック３２に供給する前に加熱する熱交換器３４と、炭化水素を主体とする原燃料と水蒸気との混合燃料を生成するために、前記水を蒸発させる蒸発器３６と、前記混合燃料を改質して燃料ガス（改質ガス）を生成する改質器３８とが配設される。
【００４３】
改質器３８は、都市ガス（燃料ガス）中に含まれるエタン（Ｃ２Ｈ６）、プロパン（Ｃ３Ｈ８）及びブタン（Ｃ４Ｈ１０）等の高級炭化水素（Ｃ２＋）を、主としてメタン（ＣＨ４）を含む燃料ガスに水蒸気改質するための予備改質器であり、数百℃の作動温度に設定される。
【００４４】
燃料電池３０は、作動温度が数百℃と高温であり、電解質・電極接合体２６では、燃料ガス中のメタンが改質されて水素が得られ、この水素がアノード電極に供給される。
【００４５】
熱交換器３４は、燃料電池スタック３２から排出される使用済み反応ガス（以下、排ガス又は燃焼排ガスともいう）と、被加熱流体である空気とを、互いに対向流に流して熱交換を行う。熱交換後の排ガスは、排気管４０に排出される一方、熱交換後の空気は、酸化剤ガスとして燃料電池スタック３２に供給される。
【００４６】
蒸発器３６の出口は、改質器３８の入口に連結されるとともに、前記改質器３８の出口は、燃料電池スタック３２の燃料ガス供給連通孔（図示せず）に連通する。蒸発器３６に供給された排ガスを排出するために、主排気管４２が設けられる。主排気管４２は、排気管４０に一体化される。
【００４７】
凝縮装置１４は、冷媒体として酸化剤ガスが使用される空冷凝縮器（空冷凝縮機構）４４と、前記冷媒体として貯湯タンク１８に貯えられる貯湯水が使用される水冷凝縮器（水冷凝縮機構）４６とを備える。空冷凝縮器４４及び水冷凝縮器４６は、例えば、断面四角形状の角筒形状を有する。
【００４８】
燃料電池モジュール１２から延在する排気管４０には、調整弁４８が配設され、前記調整弁４８の出口側には、排ガス通路５０ａ、５０ｂが分岐する。排ガス通路５０ａには、空冷凝縮器４４が接続される一方、排ガス通路５０ｂには、水冷凝縮器４６が接続される。
【００４９】
調整弁４８は、空冷凝縮器４４に供給される排ガスの流量、及び水冷凝縮器４６に供給される前記排ガスの流量を個別に調整可能である。排ガスは、空冷凝縮器４４のみに供給される場合、水冷凝縮器４６のみに供給される場合、及び前記空冷凝縮器４４と前記水冷凝縮器４６とにそれぞれ所定の流量で供給される場合がある。
【００５０】
なお、調整弁４８は、排ガス通路５０ａと５０ｂとに対する排ガスの分配流量を変更させることにより、前記排ガス通路５０ａ、５０ｂに供給される排ガス流量を調整することもできる。その際、後述する制御では、燃料電池モジュール１２の出力を増減させて排ガス供給量を増減させることにより、排ガス通路５０ａ、５０ｂに分配される排ガス流量を増減させる必要がある。
【００５１】
空冷凝縮器４４及び水冷凝縮器４６の出口側には、排ガスを排出するための排気ガス流路５２ａ、５２ｂが設けられるとともに、凝縮した凝縮水を水容器５４に供給するための凝縮水流路５６ａ、５６ｂが設けられる。水容器５４は、凝縮水を貯留するとともに、水流路５８を介して水供給装置２４に接続される。排気ガス流路５２ａ、５２ｂは、合流した後、凝縮装置１４の外部に排ガスを排出自在である。
【００５２】
図２及び図３に示すように、空冷凝縮器４４には、排ガスと酸化剤ガスとの温度差により熱電変換を行う熱電変換部６０が装着される。熱電変換部６０は、空冷凝縮器４４の１つの平坦状外面（高温側）４４ａと、空気（酸化剤ガス）が流通される角筒状の空気流通配管（低温側）６２との間に取り付けられる複数の熱電変換素子６４を備える。熱電変換素子６４は、両端に温度差を生じさせることにより起電力を発生させる機能を有する（後述する）。
【００５３】
図１〜図３に示すように、空気流通配管６２には、酸化剤ガス供給装置２２が配設された空気供給管６６が接続される。空気供給管６６は、空気流通配管６２内に冷媒体として酸化剤ガスを通し、排ガスと熱交換させることにより昇温された前記酸化剤ガスを燃料電池スタック３２に供給する。
【００５４】
水冷凝縮器４６には、貯湯タンク１８に接続された循環配管６８が配設される。循環配管６８は、水冷凝縮器４６内に冷媒体として貯湯タンク１８内の貯湯水を通して排ガスと熱交換させ、昇温された貯湯水を前記貯湯タンク１８に戻す。
【００５５】
制御装置１６は、少なくとも供給電力と需要電力との比較結果、又は供給熱量と需要熱量との比較結果のいずれかに基づいて、少なくとも空冷凝縮器４４に供給される排ガスの流量、又は水冷凝縮器４６に供給される前記排ガスの流量のいずれかを調整する機能を有する。
【００５６】
制御装置１６は、少なくとも供給電力Ｗと予め設定された需要電力範囲とを比較する電力比較部７０と、供給熱量Ｑと予め設定された需要熱量範囲とを比較する熱量比較部７２と、空冷凝縮器４４に供給される排ガスの流量及び水冷凝縮器４６に供給される前記排ガスの流量を調整する排ガス流量調整部７４とを備える。排ガス流量調整部７４は、調整弁４８を制御して所望の調整機能を営むものであるが、例えば、空冷凝縮器４４及び水冷凝縮器４６にそれぞれ配設される弁（図示せず）を個別に又は同時に制御してもよい。
【００５７】
貯湯タンク１８は、貯湯水水位を検出する水位計（貯湯水水位検出器）８０と、貯湯水温度を検出する温度計（貯湯水温度検出器）８２とを備える。水容器５４は、前記水容器５４内の凝縮水水位を検出する水位計（凝縮水水位検出器）８４を備える。
【００５８】
貯湯タンク１８には、外部から市水を供給するための給水管８６と、排水を行う排水管８８と、所望の温度の貯湯水を給湯する給湯管９０とが接続される。給水管８６、排水管８８及び給湯管９０には、それぞれ弁９２、９４及び９６が配設される。
【００５９】
このように構成される燃料電池システム１０の動作について、以下に説明する。
【００６０】
燃料ガス供給装置２０の駆動作用下に、蒸発器３６には、例えば、都市ガス（ＣＨ４、Ｃ２Ｈ６、Ｃ３Ｈ８、Ｃ４Ｈ１０を含む）等の原燃料が供給される。一方、水供給装置２４の駆動作用下に、蒸発器３６には、水が供給されるとともに、熱交換器３４には、酸化剤ガス供給装置２２を介して酸化剤ガスである、例えば、空気が熱電変換部６０を通って供給される。
【００６１】
蒸発器３６では、原燃料に水蒸気が混在されて混合燃料が得られ、この混合燃料は、改質器３８の入口に供給される。混合燃料は、改質器３８内で水蒸気改質され、Ｃ２＋の炭化水素が除去（改質）されてメタンを主成分とする燃料ガスが得られる。この燃料ガスは、改質器３８の出口から燃料電池スタック３２に導入される。このため、燃料ガス中のメタンが改質されて水素ガスが得られ、この水素ガスを主成分とする燃料ガスは、アノード電極（図示せず）に供給される。
【００６２】
一方、熱交換器３４に供給される空気は、この熱交換器３４に沿って移動する際、後述する排ガスとの間で熱交換が行われ、所望の温度に予め加温されている。熱交換器３４で加温された空気は、燃料電池スタック３２に導入され、図示しないカソード電極に供給される。
【００６３】
従って、電解質・電極接合体２６では、燃料ガスと空気との電気化学反応により発電が行われる。各電解質・電極接合体２６の外周部に排出される高温（数百℃）の排ガスは、熱交換器３４を通って空気と熱交換を行い、この空気を所望の温度に加温して温度低下が惹起される。排ガスは、蒸発器３６に供給されて水を蒸発させる。蒸発器３６を通過した排ガスは、主排気管４２から排気管４０を介して凝縮装置１４に送られる。
【００６４】
次いで、凝縮装置１４における第１の実施形態に係る制御方法について、図４に示すフローチャート及び図５に示す制御マップに沿って、以下に説明する。
【００６５】
先ず、燃料電池モジュール１２の供給電力Ｗに対する需要電力範囲として、需要電力上限値Ｗｍａｘと需要電力下限値Ｗｍｉｎとが設定される。さらに、供給熱量Ｑに対する需要熱量範囲として、需要熱量上限値Ｑｍａｘと需要熱量下限値Ｑｍｉｎとが設定される。
【００６６】
図５中、電気モードとは、熱電変換部６０により熱エネルギを電気エネルギとして回収する量を増減させるモードであり、具体的には、空冷凝縮器４４内に供給される排ガスの流量を増減させる。一方、熱モードとは、排ガスの熱エネルギを温水の熱エネルギとして回収する量を増減させるモードであり、具体的には、水冷凝縮器４６内に供給される排ガスの流量を増減させる。
【００６７】
図５中、その他とあるのは、供給電力Ｗが需要電力範囲超過であり、且つ、供給熱量Ｑが需要熱量範囲超過である際、出力を低下させたり、電力系統に送電させたりする制御である。
【００６８】
そこで、制御装置１６では、電力比較部７０を介して、供給電力Ｗと予め設定された需要電力範囲とが比較される。供給電力Ｗが、需要電力上限値Ｗｍａｘ以下であると判断されると（ステップＳ１中、ＹＥＳ）、ステップＳ２に進む。
【００６９】
ステップＳ２では、供給電力Ｗが、需要電力下限値Ｗｍｉｎ以上であると判断されると（ステップＳ２中、ＹＥＳ）、ステップＳ３に進んで、熱量比較部７２を介して、燃料電池モジュール１２の供給熱量Ｑと予め設定された需要熱量範囲とが比較される。供給熱量Ｑが、需要熱量上限値Ｑｍａｘ以下であると判断されると（ステップＳ３中、ＹＥＳ）、ステップＳ４に進む。
【００７０】
ステップＳ４では、供給熱量Ｑが、需要熱量下限値Ｑｍｉｎ以上であると判断されると（ステップＳ４中、ＹＥＳ）、ステップＳ５に進んで、処理Ｅが行われる。すなわち、燃料電池モジュール１２の供給電力Ｗが、需要電力範囲内であり、且つ、前記燃料電池モジュール１２の供給熱量Ｑが、需要熱量範囲内である。その際、空冷凝縮器４４内に供給される排ガスの流量が維持されるとともに、水冷凝縮器４６に供給される前記排ガスの流量が維持される。このため、供給電力Ｗ及び供給熱量Ｑは、維持される。
【００７１】
また、ステップＳ４において、供給熱量Ｑが、需要熱量下限値Ｑｍｉｎ未満であると判断されると（ステップＳ４中、ＮＯ）、ステップＳ６に進んで、処理Ｄが行われる。この処理Ｄでは、排ガス流量調整部７４の作用下に、調整弁４８が操作される。すなわち、空冷凝縮器４４内に供給される排ガスの流量が維持される一方、水冷凝縮器４６に供給される前記排ガスの流量が増加される。従って、供給電力Ｗが維持される一方、排ガスの熱エネルギが温水の熱エネルギとして回収される量が増加するため、供給熱量Ｑが増加される。
【００７２】
さらにまた、ステップＳ３において、供給熱量Ｑが、需要熱量上限値Ｑｍａｘ超過であると判断されると（ステップＳ３中、ＮＯ）、ステップＳ７に進んで、処理Ｆが行われる。この処理Ｆでは、排ガス流量調整部７４の作用下に、空冷凝縮器４４内に供給される排ガスの流量が維持される一方、水冷凝縮器４６に供給される前記排ガスの流量が減少される。これにより、供給電力Ｗが維持される一方、排ガスの熱エネルギが温水の熱エネルギとして回収される量が減少するため、供給熱量Ｑが減少される。
【００７３】
ステップＳ２において、供給電力Ｗが、需要電力下限値Ｗｍｉｎ未満であると判断されると（ステップＳ２中、ＮＯ）、ステップＳ８に進んで、供給熱量Ｑが、需要熱量上限値Ｑｍａｘ以下であるか否かが判断される。供給熱量Ｑが、需要熱量上限値Ｑｍａｘ以下であると判断されると（ステップＳ８中、ＹＥＳ）、ステップＳ９に進む。
【００７４】
ステップＳ９では、供給熱量Ｑが、需要熱量下限値Ｑｍｉｎ以上であると判断されると（ステップＳ９中、ＹＥＳ）、ステップＳ１０に進んで、処理Ｂが行われる。この処理Ｂでは、排ガス流量調整部７４の作用下に、空冷凝縮器４４内に供給される排ガスの流量が増加される一方、水冷凝縮器４６に供給される前記排ガスの流量が維持される。
【００７５】
このため、図２及び図３に示すように、空冷凝縮器４４の外面４４ａと空気流通配管６２との間に取り付けられる複数の熱電変換素子６４は、高温側である前記空冷凝縮器４４内を流通する排ガス流量の増加に伴って両端の温度差が大きくなる。熱電変換素子６４は、図６に示すように、両端の温度差が大きくなる程、出力電力が大きくなり、排ガスの熱エネルギが電気エネルギとして回収される量が増加する。このため、供給電力Ｗが増加される一方、供給熱量Ｑが維持される。
【００７６】
ステップＳ９において、供給熱量Ｑが、需要熱量下限値Ｑｍｉｎ未満であると判断されると（ステップＳ９中、ＮＯ）、ステップＳ１１に進んで、処理Ａが行われる。この処理Ａでは、排ガス流量調整部７４の作用下に、空冷凝縮器４４内に供給される排ガスの流量が増加されるとともに、水冷凝縮器４６に供給される前記排ガスの流量が増加される。従って、供給電力Ｗ及び供給熱量Ｑは、それぞれ増加される。
【００７７】
また、ステップＳ８において、供給熱量Ｑが、需要熱量上限値Ｑｍａｘ超過であると判断されると（ステップＳ８中、ＮＯ）、ステップＳ１２に進んで、処理Ｃが行われる。この処理Ｃでは、排ガス流量調整部７４の作用下に、空冷凝縮器４４内に供給される排ガスの流量が増加される一方、水冷凝縮器４６に供給される前記排ガスの流量が減少される。これにより、供給電力Ｗが増加される一方、供給熱量Ｑが減少される。
【００７８】
さらにまた、ステップＳ１において、供給電力Ｗが、需要電力上限値Ｗｍａｘ超過であると判断されると（ステップＳ１中、ＮＯ）、ステップＳ１３に進む。このステップＳ１３では、供給熱量Ｑが、需要熱量上限値Ｑｍａｘ以下であると判断されると（ステップＳ１３中、ＹＥＳ）、ステップＳ１４に進む。このステップＳ１４では、供給熱量Ｑが、需要熱量下限値Ｑｍｉｎ以上であると判断されると（ステップＳ１４中、ＹＥＳ）、ステップＳ１５に進んで、処理Ｈが行われる。
【００７９】
この処理Ｈでは、燃料電池モジュール１２の供給電力Ｗが、需要電力上限値Ｗｍａｘ超過であり、且つ、前記燃料電池モジュール１２の供給熱量Ｑが、需要熱量範囲内である。その際、排ガス流量調整部７４の作用下に、空冷凝縮器４４内に供給される排ガスの流量が減少される一方、水冷凝縮器４６に供給される前記排ガスの流量が維持される。このため、供給電力Ｗが減少される一方、供給熱量Ｑが維持される。
【００８０】
ステップＳ１４において、供給熱量Ｑが、需要熱量下限値Ｑｍｉｎ未満であると判断されると（ステップＳ１４中、ＮＯ）、ステップＳ１６に進んで、処理Ｇが行われる。この処理Ｇでは、排ガス流量調整部７４の作用下に、空冷凝縮器４４内に供給される排ガスの流量が減少される一方、水冷凝縮器４６に供給される前記排ガスの流量が増加される。このため、供給電力Ｗが減少される一方、供給熱量Ｑが増加される。
【００８１】
また、ステップＳ１３において、供給熱量Ｑが、需要熱量上限値Ｑｍａｘ超過であると判断されると（ステップＳ１３中、ＮＯ）、ステップＳ１７に進んで、処理Ｉが行われる。すなわち、燃料電池モジュール１２の供給電力Ｗが、需要電力上限値Ｗｍａｘ超過であり、且つ、前記燃料電池モジュール１２の供給熱量Ｑが、需要熱量上限値Ｑｍａｘ超過である。
【００８２】
従って、処理Ｉでは、出力を低下させたり、電力系統に送電させたりする制御が行われる。出力低下は、燃料電池モジュール１２に供給される燃料ガス及び酸化剤ガスのそれぞれの流量を減少させることにより遂行される。一方、電力系統を介して電力が必要とされる箇所に該電力を供給することにより、供給電力Ｗを消費させることができる。
【００８３】
この場合、第１の実施形態では、凝縮装置１４は、冷媒体として酸化剤ガスが使用される空冷凝縮器４４を備えるとともに、前記空冷凝縮器４４は、排ガスと酸化剤ガスとの温度差により熱電変換を行う熱電変換部６０を備えている。そして、熱電変換部６０は、高温側である空冷凝縮器４４と、低温側である空気流通配管６２との間に取り付けられる複数の熱電変換素子６４を備えている。
【００８４】
このため、図２及び図３に示すように、空冷凝縮器４４内を流通する排ガスと、空気流通配管６２内を流通する酸化剤ガスとの温度差（熱エネルギ）を、電気エネルギとして回収することができ、発電効率が有効に向上するという効果が得られる。
【００８５】
しかも、排ガス温度が低減されるとともに、排ガス中の水蒸気を凝縮して回収することが可能になり、廃熱の抑制と水自立の促進が図られる。さらに、酸化剤ガスが昇温されるため、熱自立の促進が容易に遂行可能になる。
【００８６】
ここで、水自立とは、燃料電池システム１０の運転に必要な水の全量を外部から供給することなく、前記燃料電池システム１０内で賄うことをいう。また、熱自立とは、燃料電池システム１０の運転に必要な熱の全量を外部から加えることなく、自ら発生する熱のみで前記燃料電池システム１０の動作温度を維持することをいう。
【００８７】
また、燃料電池システム１０では、制御装置１６は、少なくとも供給電力Ｗと需要電力との比較結果、又は供給熱量Ｑと需要熱量との比較結果のいずれかに基づいて、少なくとも空冷凝縮器４４に供給される排ガスの流量、又は水冷凝縮器４６に供給される前記排ガスの流量のいずれかを調整する機能を有している。従って、電力が要求される場合には、排ガスの熱エネルギを電気エネルギとして回収する一方、熱量が要求される場合には、排ガスの熱エネルギを湯の熱エネルギとして回収することができ、総合効率の向上が容易に図られる。
【００８８】
このように、空冷凝縮器４４と水冷凝縮器４６とは、選択的に又は同時に使用されるため、排ガスの熱エネルギを効率的に回収することができる。このため、水自立が図られるとともに、排ガス温度の低減が可能になる。しかも、貯湯水の状態、すなわち、貯湯水の量によって発電出力が影響されることがなく、需要電力を確実に供給することができる。
【００８９】
さらに、燃料電池モジュール１２は、貯湯タンク１８の容量に依存することがなく、起動及び停止を最小限に抑制することができ、発電効率の向上が容易に図られる。
【００９０】
さらにまた、制御装置１６は、少なくとも供給電力Ｗと予め設定された需要電力範囲とを比較する電力比較部７０と、供給熱量Ｑと予め設定された需要熱量範囲とを比較する熱量比較部７２と、空冷凝縮器４４に供給される排ガスの流量及び水冷凝縮器４６に供給される前記排ガスの流量を調整する排ガス流量調整部７４とを備えている。
【００９１】
これにより、電力比較部７０及び熱量比較部７２による比較結果に基づいて、空冷凝縮器４４に供給される排ガスの流量及び水冷凝縮器４６に供給される前記排ガスの流量が、選択的に又は同時に調整されている。このため、電力が要求される場合には、排ガスの熱エネルギを電気エネルギとして回収することができ、発電効率が有効に向上する。一方、熱量が要求される場合には、排ガスの熱エネルギを湯の熱エネルギとして回収することが可能になる。従って、エネルギ効率の向上が容易に図られる。
【００９２】
また、排ガス流量調整部７４は、電力比較部７０により供給電力Ｗが需要電力範囲未満であることが検出された際、空冷凝縮器４４に供給される排ガスの流量を増加させている。これにより、排ガスの熱エネルギを電気エネルギ（電力）として回収する量が増加され、供給電力Ｗを需要電力に近づけることができる。このため、需要電力に応じた発電効率の向上が容易に図られる。
【００９３】
さらに、排ガス流量調整部７４は、電力比較部７０により供給電力Ｗが需要電力範囲内であることが検出された際、空冷凝縮器４４に供給される排ガスの流量を維持させている。従って、排ガスの熱エネルギを電気エネルギとして回収する量が維持されるため、供給電力Ｗを需要電力に近づけることが可能になる。これにより、需要電力に応じた発電効率の向上が容易に図られる。
【００９４】
さらにまた、排ガス流量調整部７４は、電力比較部７０により供給電力Ｗが需要電力範囲超過であることが検出された際、空冷凝縮器４４に供給される排ガスの流量を減少させている。このため、排ガスの熱エネルギを電気エネルギとして回収する量が減少されるため、供給電力Ｗを需要電力に近づけることができる。従って、需要電力に応じた発電効率の向上が容易に図られる。
【００９５】
また、排ガス流量調整部７４は、熱量比較部７２により供給熱量Ｑが需要熱量範囲未満であることが検出された際、水冷凝縮器４６に供給される排ガスの流量を増加させている。これにより、排ガスの熱エネルギを湯の熱エネルギとして回収する量が増加されるため、供給熱量Ｑを需要熱量に近づけることが可能になる。このため、需要熱量に応じた熱効率の向上が容易に図られる。
【００９６】
さらに、排ガス流量調整部７４は、熱量比較部７２により供給熱量Ｑが需要熱量範囲内であることが検出された際、水冷凝縮器４６に供給される排ガスの流量を維持させている。従って、排ガスの熱エネルギを湯の熱エネルギとして回収する量が維持されるため、供給熱量Ｑを需要熱量に近づけることができる。これにより、需要熱量に応じた熱効率の向上が容易に図られる。
【００９７】
さらにまた、排ガス流量調整部７４は、熱量比較部７２により供給熱量Ｑが需要熱量範囲超過であることが検出された際、水冷凝縮器４６に供給される排ガスの流量を減少させている。このため、排ガスの熱エネルギを湯の熱エネルギとして回収する量が減少されるため、供給熱量Ｑを需要熱量に近づけることができる。従って、需要熱量に応じた熱効率の向上が容易に図られる。
【００９８】
また、燃料電池モジュール１２は、電力比較部７０により供給電力Ｗが需要電力範囲超過であることが検出され、且つ、熱量比較部７２により供給熱量Ｑが需要熱量範囲超過であることが検出された際、出力を低下させ、又は、電力系統に送電させている。
【００９９】
これにより、排ガスの熱エネルギを電気エネルギとして回収する量、及び前記排ガスの熱エネルギを湯の熱エネルギとして回収する量が、それぞれ減少されている。このため、供給電力Ｗを需要電力に近づけるとともに、供給熱量Ｑを需要熱量に近づけることが可能になり、需要電力及び需要熱量に応じた総合効率の向上が容易に図られる。
【０１００】
さらに、燃料電池モジュール１２は、燃料電池スタック３２と、熱交換器３４と、蒸発器３６と、改質器３８とを備えている。従って、特に水蒸気改質を行う燃料電池モジュール１２に最適に適用することができ、良好な効果が得られる。
【０１０１】
さらにまた、燃料電池モジュール１２は、固体酸化物形燃料電池（ＳＯＦＣ）モジュールにより構成されている。これにより、高温型燃料電池システムに最適に用いることが可能になり、良好な効果が得られる。
【０１０２】
図７は、本発明の第２の実施形態に係る燃料電池システム１００の概略構成説明図である。
【０１０３】
なお、第１の実施形態に係る燃料電池システム１０と同一の構成要素には、同一の参照符号を付して、その詳細な説明は省略する。
【０１０４】
燃料電池システム１００は、図８に示すように、空冷凝縮器４４の外面４４ａに、熱電変換部６０を構成する複数の熱電変換素子６４を介装して装着される１以上、例えば、２つの空冷ファン１０２を備える。
【０１０５】
従って、空冷凝縮器４４では、空冷ファン１０２から強制的に供給される外気（酸化剤ガス）により、燃料電池スタック３２から排出される排ガスを冷却するとともに、複数の熱電変換素子６４に温度差を発生させることができる。
【０１０６】
これにより、第２の実施形態では、空冷凝縮器４４内を流通する排ガスの熱エネルギを電気エネルギとして良好に回収することができ、発電効率が向上する等、上記の第１の実施形態と同様の効果が得られる。
【符号の説明】
【０１０７】
１０、１００…燃料電池システム          １２…燃料電池モジュール
１４…凝縮装置                          １６…制御装置
１８…貯湯タンク                        ２０…燃料ガス供給装置
２２…酸化剤ガス供給装置                ２４…水供給装置
２６…電解質・電極接合体                ２８…セパレータ
３０…燃料電池                          ３２…燃料電池スタック
３４…熱交換器                          ３６…蒸発器
３８…改質器                            ４０…排気管
４４…空冷凝縮器                        ４６…水冷凝縮器
４８…調整弁                            ５４…水容器
６０…熱電変換部                        ６２…空気流通配管
６４…熱電変換素子                      ６６…空気供給管
７４…排ガス流量調整部                  ８０、８４…水位計
８２…温度計                            １０２…空冷ファン
【図１】
0005643731.tif 000002
【図２】
0005643731.tif 000003
【図３】
0005643731.tif 000004
【図４】
0005643731.tif 000005
【図５】
0005643731.tif 000006
【図６】
0005643731.tif 000007
【図７】
0005643731.tif 000008
【図８】
0005643731.tif 000009
【図９】
0005643731.tif 000010
【図１０】
0005643731.tif 000011
【図１１】
0005643731.tif 000012